(57)【要約】【課題】本発明は、熱可塑性樹脂フィルムの長さ方向に対し垂直方向からずれて設けられているスリットを有する熱可塑性樹脂フィルムを容易に製造しうる方法を提供する。【解決手段】カッターロールに直交して走行する熱可塑性樹脂フィルムを、カッターロール上に設置された切断刃に当接することによりスリットいり熱可塑性樹脂フィルムを製造方法であって、切断刃は長尺であって、切断刃とカッターロールの軸方向の角度Ｘが鋭角になるように設置されていることを特徴とするスリットいり熱可塑性樹脂フィルムの製造方法であり、角度Ｘが、０°＜Ｘ≦３０°が好ましい。【選択図】  図１
2004154906.tif 000002
【特許請求の範囲】
【請求項１】
カッターロールに直交して走行する熱可塑性樹脂フィルムを、カッターロール上に設置された切断刃に当接することによりスリットいり熱可塑性樹脂フィルムを製造方法であって、切断刃は長尺であって、切断刃とカッターロールの軸方向の角度Ｘが鋭角になるように設置されていることを特徴とするスリットいり熱可塑性樹脂フィルムの製造方法。
【請求項２】
角度Ｘが、０°＜Ｘ≦３０°であることを特徴とする請求項１記載のスリットいり熱可塑性樹脂フィルムの製造方法。
【請求項３】
スリットいり熱可塑性樹脂フィルムが農業用マルチフィルムであることを特徴とする請求項１又は２記載のスリットいり熱可塑性樹脂フィルムの製造方法。
【発明の詳細な説明】
【０００１】
【発明の属する技術分野】
本発明は、農業用マルチフィルムに好適に使用されるスリットいり熱可塑性樹脂フィルムの製造方法に関する。
【０００２】
【従来の技術】
農業用マルチフィルムはポリエチレン樹脂、ポリピロピレン樹脂等のポリオレフィン系樹脂、塩化ビニル樹脂等の合成樹脂フィルムからなり、種子を蒔いた土壌表面を被覆し、土壌の保温若しくは土壌温度の上昇を図り、且つ雑草の発育を抑制して作物の育成を促進する目的で広く使用されている。
【０００３】
上記農業用マルチフィルムは、発芽した芽の通る開口部が形成された長尺の帯状体であり、巻芯に巻回されており、種子を蒔いた畝を被覆し端部に土壌をかけることにより固定している。
【０００４】
上記開口部としては種々の形状が提案されており、例えば、丸い穴及び長さ方向に切断されたスリットや幅方向にジグザグのスリットが提案されている（例えば、特許文献１及び特許文献２参照）。
【０００５】
【特許文献１】
特開昭５７−２０３２４号公報
【特許文献２】
特開平９−１２１６９３号公報
【０００６】
開口部が円形の場合は、発芽した芽の位置が開口部と異なると成長できないが、スリットの場合は発芽した芽の位置がスリットの位置と異なってもスリットが変形して芽がスリットから出て成長するので、最近はスリットの設けられた農業用マルチフィルムが好適に使用されるようになっている。
【０００７】
しかし、スリットが農業用マルチフィルムの長さ方向に対し垂直方向に設けられている場合、農業用マルチフィルムで畝を被覆し端部に土壌をかけることにより固定すると、スリットは直線状にピンと張られるので、発芽した芽がスリットから出にくくなることがあった。
【０００８】
これに対し、スリットが長さ方向に対し垂直方向からずれて設けられている農業用マルチフィルムは、農業用マルチフィルムで畝を被覆し端部に土壌をかけることにより固定すると、スリットには斜めの力が加わり、被覆後次第によれたような状態になり、スリットに若干の空間が生じ、発芽した芽がスリットから出易くなるので好ましい。
【０００９】
そして、スリットの形成方法としては、例えば、プレスのより打ち抜く方法、円筒状のロールカッターとカッター受けロールの間にフィルムを通し、カッターをフィルムの溶融温度以上に加熱し、押圧することにより形成する方法があった（例えば、特許文献３及び特許文献４参照）。
【００１０】
【特許文献３】
実開平６−５８９８号公報
【特許文献４】
特開平４−２８３０９９号公報
【００１１】
しかし、プレスにより打ち抜く方法では間歇的に打ち抜くより仕方がなく、製造装置は大きくなり、製造速度は遅いという欠点があった。又、上記円筒状のロールカッターを使用する方法も、カッターを加熱しなければならず、製造装置は大きくなり製造コストが大きくなった。
【００１２】
【発明が解決しようとする課題】
本発明の目的は、上記欠点に鑑み、熱可塑性樹脂フィルムの長さ方向に対し垂直方向からずれて設けられているスリットを有する熱可塑性樹脂フィルムを容易に製造しうる方法を提供することにある。
【００１３】
【課題を解決するための手段】
本発明のスリットいり熱可塑性樹脂フィルムの製造方法は、カッターロールに直交して走行する走行する熱可塑性樹脂フィルムを、カッターロール上に設置された切断刃に当接することによりスリットいり熱可塑性樹脂フィルムを製造方法であって、切断刃は長尺であって、切断刃とカッターロールの軸方向の角度Ｘが、鋭角になるように設置されていることを特徴とするものである。
【００１４】
本発明で使用される熱可塑性樹脂は、一般に使用されている任意の熱可塑性樹脂が使用可能であるが、農業用マルチフィルムとして使用する場合は、ポリエチレン樹脂、ポリピロピレン樹脂等のポリオレフィン系樹脂、塩化ビニル樹脂等が好ましい。
【００１５】
【発明の実施の形態】
次に、本発明を図面を参照して説明する。図１は、本発明で使用されるカッターロールの一例を示す平面図であり、図２は側面図である。又、図３は本発明の製造方法で得られるスリットいり熱可塑性樹脂フィルムの一例を示す平面図である。
【００１６】
図中１は円筒状のカッターロールであり、２はカッターロール１の軸である。カッターロール１には４枚の長尺の切断刃３，３・・が外方に向けて等間隔に設置されている。
【００１７】
又、切断刃２はカッターロール１の軸方向に対し一定の角度Ｘで設置されている。角度Ｘは鋭角であるが、熱可塑性樹脂フィルムに形成されるスリットの角度が熱可塑性樹脂フィルムの幅方向に対し大きくなると、農業用マルチフィルムとして使用した際に、スリットがよれて形成される開口部が大きくなり土壌の保温効果が低下し、地熱温度を保持できなくなったり、雑草の発育を抑制できなくなることがあるので０°＜Ｘ≦３０°が好ましい。
【００１８】
本発明においては熱可塑性樹脂フィルムをカッターロールに直交して走行させると共に、カッターロールを回転させ、カッターロール上に設置された切断刃に熱可塑性樹脂フィルムを当接することにより熱可塑性樹脂フィルムにスリットを形成する。
【００１９】
熱可塑性樹脂フィルムの走行方向はカッターロール１の軸方向と直角であり、図３に示したように、熱可塑性樹脂フィルム４の幅方向に対しＸの角度を有するスリット５，５・・が平行に且つ等間隔に形成されたスリットいり熱可塑性樹脂フィルムが得られる。尚、６はスリットいり熱可塑性樹脂フィルムの巻取りロールである。
【００２０】
上記切断刃３は一枚以上設置すればよく、スリットの間隔は、切断刃３の数、カッターロール１の直径を適宜設定することにより変更することができる。
【００２１】
本発明のスリットいり熱可塑性樹脂フィルムの製造方法は上述の通りであるから、熱可塑性樹脂フィルムの長さ方向に対し所定の角度を有し且つ所定の間隔を有するスリットを有するスリットいり熱可塑性樹脂フィルムを製造することができる。
【００２２】
従って、種の蒔き方や苗の植え方にあわせたスリットを容易に形成することができるので農業用マルチフィルムとして好適に使用できる。特に、スリットの角度が熱可塑性樹脂フィルムの長さ方向に対し０°＜Ｘ≦３０°の角度を有していると、種を蒔いた畝にその端部に土等を載せて固定しておくと、最初は畝をカバーし保温性が優れており、雑草の発育を抑制でき、しばらくするとスリットが引っ張られてまくれた状態になり、作物の芽がフィルムに邪魔されることなく成長することができようになるので、農業用マルチフィルムとしてより好適に使用できる。
【００２３】
【発明の効果】
本発明のスリットいり熱可塑性樹脂フィルムの製造方法の構成は、上述の通りであるから、熱可塑性樹脂フィルムの長さ方向に対し一定角度を有するスリットが一定間隔に設けられた熱可塑性樹脂フィルムが容易に製造できる。
【００２４】
得られたスリットいり熱可塑性樹脂フィルムは、スリットが熱可塑性樹脂フィルムの長さ方向に対し一定角度を有しているので、種を蒔いた畝にその端部に土等を載せて固定しておくと、最初は畝をカバーし保温性が優れており、雑草の発育を抑制でき、しばらくするとスリットが引っ張られてまくれた状態になり、作物の芽がフィルムに邪魔されることなく成長することができようになるので、農業用マルチフィルムとして好適に使用できる。
【００２５】
特に、スリットの角度が熱可塑性樹脂フィルムの幅方向に対し０°＜Ｘ≦３０°の角度を有していると、上記保温効果及び雑草の発育を抑制効果がより優れており、農業用マルチフィルムとしてより好適に使用できる。
【００２６】
【図面の簡単な説明】
【図１】本発明で使用されるカッターロールの一例を示す平面図である。
【図２】本発明で使用されるカッターロールの一例を示す側面図である。
【図３】本発明のスリットいり熱可塑性樹脂フィルムの製造方法で製造されたスリットいり熱可塑性樹脂フィルムの一例を示す平面図である。
【符号の説明】
１    カッターロール
２    軸
３    切断刃
４    スリットいり熱可塑性樹脂フィルム
５    スリット
６    巻取りロール
【図１】
2004154906.tif 000003
【図２】
2004154906.tif 000004
【図３】
2004154906.tif 000005